(57)【要約】      （修正有）【課題】喫食者に異なったイメージの食器で新鮮味のある食事が楽しめるようにすると共に、業者の経済的負担を軽減する。【解決手段】内側部に仕切り壁を設けて複数の凹部３を形成してなる食品容器１の、前記内側部に装着可能な形状に合成樹脂製透明シート５を成形することにより、平面上に複数の食品収容部６を備えた透明なシート成形体を形成し、このシート成形体の食品収容部に不透明な彩色７を施したことにより構成されている。【選択図】図１
0003112807.tif 000002
【実用新案登録請求の範囲】
【請求項１】
内側部を仕切って複数の凹部を形成してなる食品容器の前記内側部に装着可能な形状に合成樹脂製透明シートを成形することにより、平面上に複数の食品収容部を備えた透明なシート成形体を形成し、このシート成形体の食品収容部に不透明な彩色を施したことを特徴とする食品容器の中敷材。
【請求項２】
シート成形体の複数の食品収容部は、裏面に彩色が施されている請求項１に記載の食品容器の中敷材。
【請求項３】
シート成形体の複数の食品収容部に施した彩色は、各食品収容部ごとに異なる色である請求項１に記載の食品容器の中敷材。
【考案の詳細な説明】
【技術分野】
【０００１】
本考案は、給食や仕出し用の弁当に使用される食品容器の中敷材に関するものである。
【背景技術】
【０００２】
給食や仕出し用の弁当箱として使用される食品容器は、主にポリプロピレンやＡＢＳなどの合成樹脂を比較的厚めに成形した耐久性のあるものが用いられているが、これらの使用後に回収して何回も使用する食品容器の場合、食品を収容する凹部に直接惣菜を盛り付けるようにていると、使用後に洗浄しても油分が落ちにくかったり、シミが付くなどの問題があった。
【０００３】
そこで、例えば、実開昭６４−１６８１８号に記載されているような、複数の食品収容部を備えた食品容器に、薄いシート状の厚さで食品容器の内側部の形状と同じ形に成形した中敷材を敷き、この中敷材の上から惣菜等を盛り付けるようにすることで、食品容器の汚れを少なくし、洗浄を容易にした弁当箱が知られている。
【０００４】
また、最近は、給食や仕出し用の弁当に使用される食品容器に、豪華さを付与するために、あたかも外容器に複数の絵柄の異なる陶磁製食器を嵌め込んだような形状にした合成樹脂一体加工の食品容器が普及しており、このような食品容器の場合、透明な中敷材を敷いて、この中敷材を透して食品容器に付されている絵柄が見えるようにし、喫食者が食事しながら絵柄を楽しめるようになっている。  
【０００５】
【特許文献１】実開昭６４−１６８１８
【考案の開示】
【考案が解決しようとする課題】
【０００６】
上述した絵柄を付した食品容器の場合、同じものを頻繁に使用していると、せっかく料理を日替わり献立しても内容が同じように見えてしまい、新鮮味が失われ飽きが来たり、惣菜によっては絵柄と合わないために美味しそうに見えないことがあるなどのことから、このような特定の絵柄の食品容器を頻繁に使用することは、弁当を提供する側の業者にとって、かえってイメージダウンになる可能性があるという問題があった。
【０００７】
また、絵柄の異なる数種類の食品容器を用意して、これらの食品容器を順番に使用し、喫食者がいつも新鮮味をもって食事ができるようにするためには、多量の弁当箱を準備しておかなければならないことから、弁当を提供する業者の経済的負担が大きくなるという問題があった。
【課題を解決するための手段】
【０００８】
本考案は、給食や仕出し用の弁当に使用される食品容器の中敷材に関するものであり、上述したような問題点を解決するために、喫食者に異なった印象を与える食器で新鮮味のある食事が楽しめるようにすると共に、業者の経済的負担を抑えるようにした中敷材の提供を目的とするものである。
【０００９】
本考案に係る食品容器の中敷材は、そのための具体的手段として、内側部を仕切って複数の凹部を形成してなる食品容器の前記内側部に装着可能な形状に合成樹脂製透明シートを成形することにより、平面上に複数の食品収容部を備えた透明なシート成形体を形成し、このシート成形体の食品収容部に不透明な彩色を施したことを特徴とする。
【００１０】
シート成形体の複数の食品収容部は、裏面に彩色が施されていることが好ましい。
【００１１】
シート成形体の複数の食品収容部に施した彩色は、各食品収容部ごとに異なる色にしたものであっても良い。
【考案の効果】
【００１２】
本考案の食品容器の中敷材は、合成樹脂製透明シートに食品収容部を形成したものであり、この食品収容部に不透明な彩色を施して、この中敷材を食品容器の内側部に装着することにより、食品容器の凹部に施してあった絵柄や地色が隠れ、食品容器から受ける印象を異なるものにすることができ、喫食者に新鮮味のある食事が楽しめるようにすることができる。
【００１３】
また、絵柄の異なる多種類の食品容器を用意しておく必要がないことから、業者の経済的負担が軽減されるという利点を有している。
【００１４】
さらに、中敷材の各食品収容部に施した彩色を、夫々異なる色にしたり、多色模様にすることで、食品容器を多様なイメージに変化させることができる。
【考案を実施するための最良の形態】
【００１５】
本考案に係る中敷材は、食品容器の内側部に装着可能な形状に合成樹脂製透明シートを成形することにより、平面上に複数の食品収容部を備えた透明なシート成形体を形成し、このシート成形体の食品収容部に不透明な彩色を施したことにより構成したものであるが、シート成形体は食品容器の内側部と略同じ形状に成形されていることが好ましい。
【実施例】
【００１６】
以下、本考案に係る食品容器の中敷材の構成を図面に示す実施形態により説明すると、図１は、食品容器と、この食品容器の内側部に装着されるように形成した中敷材とを示す説明図である。
【００１７】
食品容器１は、例えば、ポリプロピレンあるいはＡＢＳなどの耐久性のある合成樹脂を素材とし、内側部２を仕切って、惣菜などを収容するための複数の凹部３が形成されている。
【００１８】
この食品容器１の複数の凹部３には、染め付けや赤絵などの陶磁器模様が施され、食品容器１の内側部２にあたかも複数の陶磁器を嵌めこんだような雰囲気になっている。
【００１９】
一方、中敷材４は、ポリスチレンもしくはポリプロピレンなどの合成樹脂製透明シート５に食品収容部６を形成したものであって、食品容器１の内側部２と同一の形状に成形されている。
【００２０】
中敷材４は、図２及び図３に示すように、各食品収容部６の裏面に、印刷などの手段により、不透明塗料７が彩色されていて、この中敷材４を食品容器１の内側部２に装着した際に、食品容器１の凹部３に施されている絵柄が隠れて見えないようになっている。
【００２１】
なお、中敷材４は、例えば、各食品収容部６の表面に不透明塗料７を彩色し、その上から透明フィルムを接着するようにして、食品収容部６の惣菜が盛られる表面に不透明塗料７が露呈しないようにしたものであってもよい。
【００２２】
また、中敷材４の各食品収容部６に施される色は単色であってもよいが、各食品収容部６に異なる色を施したものであってもよく、さらに、一つの食品収容部６に複数の色を模様状に施してもよい。
【００２３】
上記実施例では、凹部３に絵柄が施されている食品容器１に、中敷材４を装着して凹部３の絵柄が隠れるようにし、異なる印象を与える食品容器に変化させるようにしたが、例えば、見栄えの劣る安価な食品容器１に、中敷材４を装着すれば、見栄えを良くすることもできる。
【００２４】
また、中敷材４は、食品収容部６の箇所のみに不透明塗料７を彩色したものであり、食品容器１の隣接する凹部３、３の間の頂面８の部分の色は透明な樹脂シート５を透してそのまま見えるので、食品容器１の地色と食品収容部６に施した不透明塗料７による彩色のコントラストを楽しむことができる。
【００２５】
さらに、食品収容部６に異なる彩色を施した複数種の中敷材４を用意し、異なる色の中敷材４を順番に使用するようにすれば、彩色の変化を楽しむことができる。
【００２６】
また、前記異なる色の中敷材４を順番に使用する間に、従来からある全体が透明な中敷材を適宜使用すれば、喫食者は、数日に一度、食品容器１の絵柄を楽しみながら食事することができるので、食品容器１に絵柄が施されていることが無駄にならない。
【産業上の利用可能性】
【００２７】
本考案に係る食品容器の中敷材は、透明なシート成形体の食品収容部の部分に不透明な彩色を施して、食品容器の内側部の凹部に施されている絵柄や地色を隠して見えないようにすることができるので、印象の異なる食品容器を経済的に提供することができ、利用性が高い。
【図面の簡単な説明】
【００２８】
【図１】本考案の中敷材を食品容器に装着する状態を示す説明図。
【図２】本考案の中敷材を食品容器に装着した状態を示す説明図。
【図３】本考案の中敷材を食品容器に装着した状態を示す一部断面説明図。
【符号の説明】
【００２９】
１：食品容器
２：内側部
３：凹部
４：中敷材
５：合成樹脂製透明シート
６：食品収容部
７：不透明塗料
８：頂面
【図１】
0003112807.tif 000003
【図２】
0003112807.tif 000004
【図３】
0003112807.tif 000005